(57)【要約】  【課題】  マイコンの特定のポートに引き紐スイッチの開閉出力と豆球の過電流検出回路の開閉出力がともに加わるようにした場合に点灯モードが豆球モードの場合の内在する課題を解決し、ポート数が少ないマイコンの使用を可能としたものである。  【解決手段】  マイコンＭのポート２に接続した引き紐スイッチＳの開閉操作により蛍光灯４や豆球(LEDも可)５などの負荷の点灯状態を変化させる照明器具において、前記ポート２には豆球５の過電流検出回路６の開閉出力も加わるように兼用され、前記ポート２がＬレベルで、点灯モードが豆球モードの場合は、豆球５を直ちに消灯(ポート１のレベルをＬレベルとする)した後、前記ポート２が直ちにＨレベルに復帰して豆球モードになり、それ以上の時間に渡って前記ポート２がＬレベルであると、引き紐スイッチＳが操作されたと判定されて、点灯モードが順送りされる照明器具である。【選択図】  図２
2006164523.tif 000002
【特許請求の範囲】
【請求項１】
マイコンのポートに接続した引き紐スイッチの開閉操作により負荷の点灯状態を変化させる照明器具において、前記ポートには豆球の過電流検出回路の開閉出力も加わるように兼用され、前記ポートがＬレベルで、点灯モードが豆球モードの場合は、豆球を直ちに消灯した後、前記ポートが直ちにＨレベルに復帰して豆球モードになり、それ以上の時間に渡って前記ポートがＬレベルであると、引き紐スイッチが操作されたと判定されて、点灯モードが順送りされる照明器具。
【発明の詳細な説明】
【技術分野】
【０００１】
本発明は、引き紐スイッチを併用したリモコン式照明器具に好適な照明器具に関する。
【背景技術】
【０００２】
最近のリモコン式照明器具では引き紐スイッチを省略することが多くなってきたが、手元にリモコン送信器がないと実使用で不便を感じる場合があり、特許文献１などのように引き紐スイッチも併用されていると好ましい。
【特許文献１】特許第２６０３３１９号公報
【発明の開示】
【発明が解決しようとする課題】
【０００３】
そのような照明器具では、豆球の過電流検出回路を設けてその開閉出力もマイコンへ入力したい場合、小型のマイコンではポート数が少ないため、過電流検出専用のポートを占有できないという解決すべき課題があることに着目されるべきである。本発明はこのような解決すべき課題を鑑み、マイコンの特定のポートに引き紐スイッチの開閉出力と豆球の過電流検出回路の開閉出力がともに加わるようにした場合に点灯モードが豆球モードの場合の内在する課題を解決し、ポート数が少ないマイコンの使用を可能としたものである。
【課題を解決するための手段】
【０００４】
本発明を要約すると、マイコンのポートに接続した引き紐スイッチの開閉操作により負荷の点灯状態を変化させる照明器具において、前記ポートには豆球の過電流検出回路の開閉出力も加わるように兼用され、前記ポートがＬレベルで、点灯モードが豆球モードの場合は、豆球を直ちに消灯した後、前記ポートが直ちにＨレベルに復帰して豆球モードになり、それ以上の時間に渡って前記ポートがＬレベルであると、引き紐スイッチが操作されたと判定されて、点灯モードが順送りされる照明器具である。
【発明の効果】
【０００５】
本発明によれば、点灯モードが豆球モードの場合は、引き紐スイッチの閉操作の場合と、豆球の過電流検出時の閉出力の場合のいずれでも、前記ポートがＬレベルになり、豆球が直ちに消灯し、消灯により豆球の過電流検出は直ちに消失して前記ポートが直ちにＨレベルに復帰して豆球モードになり、過電流が継続すれば再び豆球は消灯する動作を繰り返すが、引き紐スイッチ操作時のように明らかにそれ以上の時間に渡って前記ポートがＬレベルであると、引き紐スイッチが操作されたと判定されて、点灯モードが順送りされ、すなわち、消灯モードとなる。このように、豆球過電流検出によるＬレベル継続の極短時間と、引き紐スイッチ操作時のＬレベル継続の相対的長時間という明らかな時間差を利用して、引き紐スイッチの開閉操作出力と豆球の過電流検出回路の開閉出力に同じポートを兼用できて、小型のマイコンを使用できる。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、マイコンＭのポート２に接続した引き紐スイッチＳの開閉操作により蛍光灯４や豆球(LEDも可)５などの負荷の点灯状態を変化させる照明器具において、前記ポート２には豆球５の過電流検出回路６の開閉出力も加わるように兼用され、図３のように前記ポート２がＬレベル(Y)で、点灯モードが豆球モード(Y)の場合は、豆球５を直ちに消灯(ポート１のレベルをＬレベルとする)した後、前記ポート２が直ちにＨレベル(N)に復帰して豆球モードになり、それ以上の時間に渡って前記ポート２がＬレベル(Y)であると、引き紐スイッチＳが操作されたと判定されて、点灯モードが順送りされる照明器具である。
【０００８】
本実施形態によれば、点灯モードが豆球モードの場合は、引き紐スイッチＳの閉操作の場合と、豆球５の過電流検出時の閉出力の場合のいずれでも、前記ポート２がＬレベルになり、豆球５が直ちに消灯し、消灯により豆球５の過電流検出は直ちに消失して前記ポート２が直ちにＨレベルに復帰して、合計1ms以内で豆球モードになり、過電流が継続すれば再び豆球５は消灯する動作を繰り返すが、引き紐スイッチＳ操作時のように明らかにそれ以上の時間(20ms以上)に渡って前記ポート２がＬレベルであると、引き紐スイッチＳが操作されたと判定されて、点灯モードが順送りされ、すなわち、消灯モードとなる。このように、豆球５の過電流検出によるＬレベル継続の極短時間と、引き紐スイッチＳの操作時のＬレベル継続の相対的長時間という明らかな時間差を利用して、引き紐スイッチＳの開閉操作出力と豆球５の過電流検出回路６の開閉出力に同じポート２を兼用できて、小型のマイコンＭを使用できる。
【０００９】
図示の実施形態はまた、マイコンＭのポート２に接続した引き紐スイッチＳの開閉操作により蛍光灯４や豆球(LEDも可)５の負荷の点灯状態を変化させる照明器具において、前記ポート２には豆球５の過電流検出回路６の開閉出力も加わるように兼用され、図４のように点灯モードが蛍光灯４の調光モードでない場合は、引き紐スイッチＳがプルされて前記ポート２がＬレベルになったときに、点灯モードが順送りされ、点灯モードが蛍光灯４の調光モードの場合は、引き紐スイッチＳがリリースされて前記ポート２がＨレベルに復帰したときに豆球モードに移行する照明器具である。
【００１０】
本実施形態によれば、点灯モードが蛍光灯４の調光モードの場合は、引き紐スイッチＳがリリースされて前記ポート２がＨレベルに復帰したときに豆球モードに移行するため、前記ポート２に豆球５の過電流検出回路６の開閉出力が加わるように兼用されていても、過電流検出回路６が作動したときと同じであるＬレベルにならなく、豆球モードになっても即消灯されてしまうおそれがない。
【００１１】
さらに詳述すれば、マイコンＭのポート３には赤外線リモコン信号を受けるリモコン受光部７の出力が入力され、リモコン信号によってもマイコンＭの出力信号で点灯回路８を介して蛍光灯４や豆球５の点灯制御が成される。なお、豆球５の点灯制御信号はマイコンＭのポート１から出力されそれがＨレベルのときにトランジスタ９がオンして、豆球５が点灯する。そして、トランジスタ９のソース側に接続した抵抗１０の過電圧を検出することによって豆球５の過電流が検出され、その検出時にはトランジスタ１１がオンしてポート２の電圧をＬレベルとするようになり、その結果、ポート１はＬレベルになってトランジスタ１１がオフとなり、豆球５が消灯する。なお、引き紐スイッチＳは図示されない引き紐を引いた時にオンされ、その引き紐を離すとオフされる形式のものである。
【００１２】
また、一般的に点灯モードとして、蛍光灯４の全光点灯モード(100%点灯)、蛍光灯４の調光(減光)点灯モード、豆球５の点灯モード、消灯モードの４つのモードがあり、引き紐スイッチＳが操作されるたびに、これらの４モードが全光→調光→豆球→消灯の順に繰り返される。
【図面の簡単な説明】
【００１３】
【図１】本発明の実施形態を示す回路ブロック図
【図２】同要部詳細回路図
【図３】同動作を示すフロー図
【図４】同動作を示すフロー図
【符号の説明】
【００１４】
Ｍ  マイコン
２  ポート
Ｓ  引き紐スイッチ
４  蛍光灯
５  豆球(LEDも可)
６  過電流検出回路
【図１】
2006164523.tif 000003
【図２】
2006164523.tif 000004
【図３】
2006164523.tif 000005
【図４】
2006164523.tif 000006